(57)【要約】【課題】医薬品等の被包装物を包装し、包装された医薬品等の誤飲を防止することのできる誤飲防止箱に関し、錠剤やカプセル剤以外の剤型の薬剤をも包装することができ、しかもＰＴＰ包装等に比べて、構造上においても誤飲防止を確実に図ることのできる誤飲防止箱を提供することを課題とする。【解決手段】開封される開封面の両側の縦方向にミシン目が形成されているとともに、該縦方向のミシン目と交差する横方向に複数のミシン目が形成された外箱と、該外箱内に収納可能で内部に複数の区画室が形成された内箱と、前記横方向の複数のミシン目を覆うように前記外箱の開封面に貼着された貼着シートとからなり、前記縦方向のミシン目は、前記横方向の複数のミシン目よりも裂断され易いように形成され、且つ前記横方向の複数のミシン目間に形成されて順次開封される複数の開封ユニット片は、前記内箱の区画室に対応する位置に形成されていることを特徴とする。【選択図】図１
2009208831.tif 000002
【特許請求の範囲】
【請求項１】
開封される開封面の両側の縦方向にミシン目（６）が形成されているとともに、該縦方向のミシン目（６）と交差する横方向に複数のミシン目が形成された外箱（１）と、該外箱（１）内に収納可能で内部に複数の区画室が形成された内箱（２）と、前記横方向の複数のミシン目を覆うように前記外箱（１）の開封面に貼着された貼着シート（３）とからなり、前記縦方向のミシン目（６）は、前記横方向の複数のミシン目よりも裂断され易いように形成され、且つ前記横方向の複数のミシン目間に形成されて順次開封される複数の開封ユニット片は、前記内箱（２）の区画室に対応する位置に形成されていることを特徴とする誤飲防止箱。
【請求項２】
縦方向のミシン目（６）を、横方向のミシン目よりも裂断され易いように形成する手段が、該縦方向のミシン目（６）のスリット（１８）が前記横方向のミシン目のスリット（２０）よりも長くなるように形成するとともに、該縦方向のミシン目（６）のスリット（１８）間の連設部（１９）が、前記横方向のミシン目のスリット（２０）間の連設部（２１）よりも短くなるように形成する手段である請求項１記載の誤飲防止箱。
【請求項３】
貼着シート（３）の表面であって、外箱（１）の複数の開封ユニット片に対応する位置に、開封順を表示する数字情報が表示されている請求項１又は２記載の誤飲防止箱。
【請求項４】
開封面と隣接する外箱（１）の隣接面に、最初に開封する開封ユニット片の開封起点となる開封起点部（９）が形成されている請求項１乃至３のいずれかに記載の誤飲防止箱。
【発明の詳細な説明】
【技術分野】
【０００１】
本発明は、誤飲防止箱、さらに詳しくは、医薬品等の被包装物を包装し、包装された医薬品等の誤飲を防止することのできる誤飲防止箱に関する。
【背景技術】
【０００２】
一般に、医薬品の包装体としては種々のものが用いられており、たとえば各種錠剤やカプセル剤等の固形製剤の包装体としてＰＴＰ包装が多用されている。そして、そのようなＰＴＰ包装の包装体に関する発明として、たとえば下記特許文献１乃至特許文献３のような特許出願がなされている。
【０００３】
特許文献１に係る発明は、当該特許文献１の明細書の段落〔０００５〕に記載されているように、調剤後、患者に与えられたＰＴＰ包装製剤が、収容ポケットから取り出されずに、１製剤単位に分割された状態で誤飲されてしまう事故が多数報告されており、この場合ＰＴＰ包装シートが消化管の内壁を傷つけたり、消化管内に滞留して外科的な処置が必要となる場合もあった点に鑑み、このような誤飲防止を目的として、ＰＴＰ包装の複数の分割部を、２個組分割部と３個組分割部としたものである。
【０００４】
また特許文献２に係る発明は、当該特許文献２の明細書の段落〔０００５〕〜〔０００６〕に記載されているように、錠剤等の飲み忘れや誤飲を防止するために、病院や薬局では一般に紙製の薬袋の表面に服用量や服用時間等の情報を記入し、これらの情報が印刷された貼着シートを貼り付け、または薬剤についての説明書を同封したりすることで対処しているが、十分に誤飲等を防止できなかったために、これを解決しようとするものである。そして、この特許文献２に係る発明は、薬剤が包装されている箇所または当該箇所を特定できる箇所に７曜のいずれか１つの曜日が表示され、かつこれらの曜日が順に表示されている薬剤包装体を提供するもので、包装体の表示の観点から誤飲を防止しようとするものである。
【０００５】
さらに、特許文献３に係る特許出願は、明細書の段落〔０００５〕〜〔０００７〕に記載されているように、「従来の包装体においては、薬剤を押圧するだけで容易にこれを取り出すことができるため、手が届くところに置いてあると子供等が薬剤を誤飲する危険性が高い」という別の観点からの誤飲防止を目的としたもので、二片間にＰＴＰシートを収納すべく一片にＰＴＰシートの薬剤が収容される収容孔が設けられると共に、該収納孔に対向させて他片に前記薬剤を取り出すための取り出し孔が設けられるＰＴＰシート用包装体であって、該取り出し孔を開閉させるべく規制片が前記ＰＴＰシートと他片間にスライド可能に介装され、且つ前記一片及び他片には規制片が表出する長孔が対向して設けられてなることを特徴とするＰＴＰシート用包装体を提供するものである。
【０００６】
上述のように、上記特許文献１乃至３は、少しずつ異なる観点から医薬品の誤飲を防止しようとするものであるが、いずれもＰＴＰ包装の包装体を対象とするものであるので、誤飲防止を図るにも、包装体としての構造上の限界がある。また、ＰＴＰ包装であるため、包装の対象となる医薬品の剤型も、錠剤やカプセル剤等の固形製剤に制限されることとなる。
【０００７】
【特許文献１】特開平１０−２７３１６２号公報
【特許文献２】特開２００５−３４２１６２号公報
【特許文献３】特開２００４−２９９７２８号公報
【発明の開示】
【発明が解決しようとする課題】
【０００８】
本発明は、上述のような点に鑑みてなされたもので、錠剤やカプセル剤以外の剤型の薬剤をも包装することができ、しかもＰＴＰ包装等に比べて、構造上においても誤飲防止を確実に図ることのできる誤飲防止箱を提供することを課題とする。
【課題を解決するための手段】
【０００９】
本発明は、上記のような課題を解決するためになされたもので、開封される開封面の両側の縦方向にミシン目が形成されているとともに、該縦方向のミシン目と交差する横方向に複数のミシン目が形成された外箱と、該外箱内に収納可能で内部に複数の区画室が形成された内箱と、前記横方向の複数のミシン目を覆うように前記外箱の開封面に貼着された貼着シートとからなり、前記縦方向のミシン目は、前記横方向の複数のミシン目よりも裂断され易いように形成され、且つ前記横方向の複数のミシン目間に形成されて順次開封される複数の開封ユニット片は、前記内箱の区画室に対応する位置に形成されていることを特徴とする誤飲防止箱を提供するものである。
【００１０】
縦方向のミシン目を、横方向のミシン目よりも裂断され易いように形成する手段としては、たとえば縦方向のミシン目のスリットが横方向のミシン目のスリットよりも長くなるように形成するとともに、該縦方向のミシン目のスリット間の連設部が、前記横方向のミシン目のスリット間の連設部よりも短くなるように形成する手段を採用することができる。
【００１１】
貼着シートの表面であって、外箱の複数の開封ユニット片に対応する位置に、開封順を表示する数字情報を表示することも可能である。また、開封面と隣接する外箱の隣接面に、最初に開封する開封ユニット片の開封起点となる開封起点部を形成することも可能である。
【発明の効果】
【００１２】
本発明の誤飲防止箱においては、縦方向のミシン目が横方向の複数のミシン目よりも裂断され易いように形成され、該横方向の複数のミシン目間に形成されて順次開封される複数の開封ユニット片が、内箱の区画室に対応する位置に形成されているものであるため、縦方向のミシン目は容易に裂断されて開封ユニット片を捲り上げることができるが、横方向のミシン目は不用意に裂断されることがなく、その一方で、横方向のミシン目によって、各開封ユニット片は横方向のミシン目を介して折れ易い状態となっており、１つの開封ユニット片を捲り上げる際に作用する力が、隣接する開封ユニット片にそのまま作用して縦方向のミシン目が連続的に裂断されるようなことがなく、横方向の複数のミシン目がいわゆるストッパーとして機能し、縦方向のミシン目が連続的に裂断されるのを阻止することとなる。
【００１３】
また、横方向の複数のミシン目を覆うように、外箱の上面に貼着シートが貼着されているため、この貼着シートの存在によって、縦方向のミシン目がより裂断されにくい状態となり、この貼着シートが同様にストッパーとして機能して横方向のミシン目と相乗的作用を発揮することとなる。
【００１４】
従って、このような横方向のミシン目と貼着シートとのストッパーとしての相乗作用により、縦方向のミシン目が連続的な裂断がより確実に阻止され、１つの開封ユニット片に隣接する開封ユニット片が不用意に捲り上げられるのが確実に阻止されることとなるので、縦方向のミシン目のみが裂断されて複数の開封ユニット片が１つずつ順に開封され、それに伴って、内箱の複数の区画室を、順次１室ずつ開口させることができる。
【００１５】
この結果、たとえば医薬品のような被包装物を収納した場合、内箱の各区画室内の医薬品を、１つずつ取り出して使用することができるので、投与される医薬品が誤飲されるようなことが好適に防止されることとなる。
【００１６】
以上のように、本発明においては、裂断され易い縦方向のミシン目と、ストッパーとして機能する複数の横方向のミシン目とを形成した外箱と、該複数の横方向のミシン目間に形成された開封ユニット片に対応して形成された複数の区画室を有する内箱と、前記複数の横方向のミシン目を覆うように、外箱の開封面に貼着された貼着シートとで誤飲防止箱を構成したので、従来の誤飲防止を目的としたＰＴＰ包装の包装体に比べると、誤飲防止を一層確実に図ることのできる包装体としての誤飲防止箱を提供することができるという効果を得た。
【００１７】
また、誤飲防止箱として形成したものであるので、従来のＰＴＰ包装の包装体のように、医薬品が被包装物である場合に錠剤やカプセル剤等の剤型に限定されるようなこともなく、たとえば液剤等のものに適用することも可能となる。
【発明を実施するための最良の形態】
【００１８】
以下、一実施形態の誤飲防止箱について図面に従って説明する。一実施形態の包装体は、図１乃至図４に示すように、外箱１と、該外箱１内に収容可能な内箱２と、前記外箱１の開封面である上面に貼着される貼着シート３とからなる。
【００１９】
外箱１は、上面１ａ、底面１ｂ、長手方向の側面１ｃ、１ｄ、短手方向の側面１ｅ、１ｆの６面からなる直方体形に形成されたもので、一般的な箱の形態をなすものである。一方の短手方向の側面１ｅは開閉できないように、底面１ｂから起立するように折り返された折り返し片４に接着されているが、他方の短手方向の側面１ｆは、先端の差し込み片５を底面１ｂ側に差し込んで開閉自在とする一般的な箱の形態とされている。
【００２０】
外箱１の上面１ａの両側の縦方向には、図１に示すようにミシン目６が形成されている。この２条のミシン目６、６は、同図のように上面１ａにおける短手方向の一方の側面１ｅ側から他方の側面１ｆ側にかけてほぼ全域にわたって形成されている。
【００２１】
また、前記縦方向のミシン目６、６と交差する横方向に、複数のミシン目７が形成されている。本実施形態では、図１に示すように、計５条のミシン目７ａ、７ｂ、７ｃ、７ｄ、７ｅが形成されている。そして前記縦方向のミシン目６、６は、前記横方向のミシン目７ａ、７ｂ、７ｃ、７ｄ、７ｅよりも裂断され易いように形成されている。より具体的には、
縦方向のミシン目６、６のスリット１８が、横方向のミシン目７ａ、７ｂ、７ｃ、７ｄ、７ｅのスリット２０よりも長くなるように形成されているとともに、該縦方向のミシン目６、６のスリット１８間の連設部１９が、前記横方向のミシン目７ａ、７ｂ、７ｃ、７ｄ、７ｅのスリット２０間の連設部２１よりも短くなるように形成されている。
【００２２】
このように縦方向のミシン目６、６が横方向のミシン目７ａ、７ｂ、７ｃ、７ｄ、７ｅよりも裂断され易いように形成されている結果、該横方向のミシン目７ａ、７ｂ、７ｃ、７ｄ、７ｅが裂断されないように、前記縦方向のミシン目６、６のみを裂断して外箱１の上面１ａを開封することが可能となる。
【００２３】
横方向の複数のミシン目７ａ、７ｂ、７ｃ、７ｄ、７ｅの間は、順次開封される複数の開封ユニット片８ａ、８ｂ、８ｃ、８ｄ、８ｅ、８ｆとして形成されている。この開封ユニット片８ａ、８ｂ、８ｃ、８ｄ、８ｅ、８ｆは、前記縦方向のミシン目６、６を裂断して外箱１の上面１ａを開封する際に、横方向のミシン目７ａ、７ｂ、７ｃ、７ｄ、７ｅが開封のストッパーとして機能して１つの開封ユニット片毎に開封できるように構成されている。
【００２４】
外箱１の開封面である上面１ａと隣接する１つの隣接面である短手方向の一方の側面１ｅには、最初に開封する開封ユニット片８ａの開封起点となる開封起点部９が形成されている。この開封起点部９は、図２に示すように、円弧状のミシン目１０に包囲されて、前記外箱１の短手方向の一方の側面１ｅから切り取ることができるように形成されている。また、該開封起点部９の先端側には、さらにこの開封起点部９の開封起点となる開封起点孔１１が穿設されている。
【００２５】
内箱２は、図５及び図６に示すように、底面２ｂ、長手方向の側面２ｃ、２ｄ、短手方向の側面２ｅ、２ｆを有する上面開口型の浅箱状に形成された形態からなる。そして、内箱２の内部には、仕切用シート１２が設けられている。この仕切用シート１２は、図６に示すように、１枚の紙製シートを短冊状に折り畳んで内箱２の内部に設置され、このような仕切用シート１２を設置することで、同図のように内箱２の内部に計６個の区画室１３ａ、１３ｂ、１３ｃ、１３ｄ、１３ｅ、１３ｆが形成されている。そして、この  ６個の区画室１３ａ、１３ｂ、１３ｃ、１３ｄ、１３ｅ、１３ｆ内に、医薬品等の被包装物が収納されることとなる。
【００２６】
これらの区画室１３ａ、１３ｂ、１３ｃ、１３ｄ、１３ｅ、１３ｆは、前記外箱１の上面１ａの横方向に複数形成されたミシン目７ａ、７ｂ、７ｃ、７ｄ、７ｅ間の複数の開封ユニット片８ａ、８ｂ、８ｃ、８ｄ、８ｅ、８ｆに対応する位置に形成されている。すなわち、外箱１の開封ユニット片８ａ、８ｂ、８ｃ、８ｄ、８ｅ、８ｆの直下に、内箱２の区画室１３ａ、１３ｂ、１３ｃ、１３ｄ、１３ｅ、１３ｆが設けられることとなり、これによって、開封ユニット片８ａ、８ｂ、８ｃ、８ｄ、８ｅ、８ｆを１個ずつ開封させていくことで、各区画室１３ａ、１３ｂ、１３ｃ、１３ｄ、１３ｅ、１３ｆが順に１つずつ開口されていくこととなる。
【００２７】
また、内箱２の上面側は、その全面が開口しているのではなく、図５及び図７に示すように両側に所定幅の補強片１４、１４が形成され、その補強片１４、１４によって前記仕切用シート１２が固定され、また内箱２が補強される構造とされている。
【００２８】
この補強片１４は、図７に示すように、内箱２の長手方向の側面２ｃ、２ｄから内向きに突設された補強片上部１４ａと、該補強片上部１４ａから下向きに立ち下がり形成された補強片側壁部１４ｂとで構成されている。補強片側壁部１４ｂには孔１５が穿設され、また該孔１５に差し込み可能な突起１６が前記仕切用シート１２の側縁側にわずかに突出して形成されている。そして、該仕切用シート１２の突起１６が補強片側壁部１４ｂに差し込まれることによって、仕切用シート１２が補強片１４に固定されている。
【００２９】
貼着シート３は、透明な合成樹脂製のシート状のもので、図１に示すように、横方向の複数のミシン目７ａ、７ｂ、７ｃ、７ｄ、７ｅを覆うように前記外箱１の上面１ａに貼着されている。この貼着シート３の表面には、同図に示すように、「１回目」、「２回目」、「３回目」、「４回目」、「５回目」、「６回目」のそれぞれの投薬情報の表示が印刷されている。この投薬情報の表示は、図１に示すように、外箱１の上面１ａの開封ユニット片８ａ、８ｂ、８ｃ、８ｄ、８ｅ、８ｆの位置に対応して表示されている。
【００３０】
また、前記貼着シート３には、前記外箱１の横方向のミシン目７ａ、７ｂ、７ｃ、７ｄ、７ｅと同じ位置にミシン目が形成されている。すなわち、この貼着シート３のミシン目は、前記外箱１の横方向のミシン目７ａ、７ｂ、７ｃ、７ｄ、７ｅの形成時に同時に形成されているものである。
【００３１】
さらに、貼着シート３の投薬情報の表示が印刷された部分の側方には、摘み表示部１７が設けられている。この摘み表示部１７を把持して貼着シート３を捲り上げることによって、ミシン目の部分を介して「１回目」、「２回目」、「３回目」、「４回目」、「５回目」、「６回目」の表示部分毎に切り取ることが可能に構成されている。
【００３２】
そして、このような構成からなる誤飲防止箱は、内箱２の計６個の区画室１３ａ、１３ｂ、１３ｃ、１３ｄ、１３ｅ、１３ｆに、それぞれ被包装物を収納することによって使用される。この場合、被包装物としては、たとえば医薬品が用いられる。この場合、同種の医薬品が、計６個の区画室１３ａ、１３ｂ、１３ｃ、１３ｄ、１３ｅ、１３ｆ内にそれぞれ収納され、６回投与されることとなる。
【００３３】
その手順について説明すると、先ず１回目の投与時には、上記外箱１の短手方向の一方の側面１ｅに形成された開封起点孔１１に指をかけ、円弧状のミシン目１０を切り取って、
開封起点部９を外箱１の側面１ｅから捲り取る。
【００３４】
さらに、開封起点部９を把持して、該開封起点部９を捲り上げると、その力が外箱１の
上面１ａに形成された縦方向のミシン目６、６に作用し、該縦方向のミシン目６、６が裂断されて、図８に示すように開封ユニット片８ａが捲り上げられることとなる。この結果、該開封ユニット片８ａの直下に位置する内箱２内の第１の区画室１３ａの上面側が開口されることとなる。これによって、第１の区画室１３ａ内に収納されていた被包装物である医薬品を、該第１の区画室１３ａから取り出すことができることとなる。
【００３５】
この場合において、縦方向のミシン目６、６のスリット１８は、横方向のミシン目７ａ、７ｂ、７ｃ、７ｄ、７ｅのスリット２０よりも長くなるように形成されているとともに、該縦方向のミシン目６、６のスリット１８間の連設部１９が、前記横方向のミシン目７ａ、７ｂ、７ｃ、７ｄ、７ｅのスリット２０間の連設部２１よりも短くなるように形成されることによって、縦方向のミシン目６、６が、横方向のミシン目７ａ、７ｂ、７ｃ、７ｄ、７ｅよりも裂断され易い状態とされているため、上記のように開封起点部９を把持して、該開封起点部９を捲り上げると、縦方向のミシン目６、６は容易に裂断されて開封ユニット片８ａを捲り上げることができるが、横方向のミシン目７ａ、７ｂ、７ｃ、７ｄ、７ｅは不用意に裂断されることがない。
【００３６】
その一方で、横方向のミシン目７ａ、７ｂ、７ｃ、７ｄ、７ｅが形成されていることによって、各開封ユニット片８ａ、８ｂ、８ｃ、８ｄ、８ｅ、８ｆは、そのミシン目７ａ、７ｂ、７ｃ、７ｄ、７ｅを介して折れ易い状態となっている。従って、上記のように縦方向のミシン目６、６を裂断して最初の開封ユニット片８ａを捲り上げたとき、その開封ユニット片８ａは、図８に示すように、隣接する開封ユニット片８ｂに対して１条目のミシン目７ａを介して容易に折れ曲がることとなる。
【００３７】
この結果、最初の開封ユニット片８ａを捲り上げる際に作用する力が、隣接する開封ユニット片８ｂにそのまま作用して、縦方向のミシン目６、６が連続的に裂断されるようなこともなく、横方向の１条目のミシン目７ａが、いわゆるストッパーとして機能し、縦方向のミシン目６、６が連続的に裂断されるのを阻止することとなる。
【００３８】
さらに、この横方向の複数のミシン目７ａ、７ｂ、７ｃ、７ｄ、７ｅを覆うように、外箱１の上面１ａには貼着シート３が貼着されているため、この貼着シート３の存在によって、縦方向のミシン目６、６がより裂断されにくい状態となり、この貼着シート３も横方向のミシン目７ａと同様にストッパーとして機能することとなる。
【００３９】
この結果、ミシン目７ａと貼着シート３とのストッパーとしての相乗作用により、縦方向のミシン目６、６が連続的な裂断がより確実に阻止され、開封ユニット片８ａに隣接する開封ユニット片８ｂが不用意に捲り上げられるのが確実に阻止されることとなる。
【００４０】
このため、最初の開封ユニット片８ａのみを捲り上げて第１の区画室１３ａのみを開口させることができ、第２の区画室１３ｂが不用意に開口されることもない。従って、第１の区画室１３ａから被包装物である１つの医薬品のみを取り出して使用することができる。すなわち、医師等の医療従事者が上記第１の区画室１３ａから１つの医薬品のみを取り出して投与することができるので、投与される患者も１つの医薬品のみを服用することができる。
【００４１】
このように第１の区画室１３ａから１つの医薬品のみを取り出した後は、貼着シート３の１番目の摘み表示部１７を把持して貼着シート３を捲り上げることによって、ミシン目の部分を介して貼着シート３における「１回目」の表示部分を切り取ることができる。これによって、「１回目」の表示部分が外箱１の上面１ａから除去され、「２回目」、「３回目」、「４回目」、「５回目」、「６回目」の表示部分が外箱１の上面１ａに残存しているので、使用者は、「１回目」に投薬すべき医薬品を内箱２から取り出したことを確実に確認することができるのである。
【００４２】
第１の区画室１３ａ内に収納されていた医薬品を使用した後、第２の区画室１３ｂ内に収納されている医薬品を使用する場合には、すでに捲り上げられた第１の開封ユニット片８ａを把持し、図９に示すように上向きに捲り上げると、さらに縦方向のミシン目６、６が裂断され、同図のように第２の開封ユニット片８ｂが捲り上げられることとなる。
【００４３】
この結果、第２の開封ユニット片８ａの直下に位置する内箱２内の第２の区画室１３ｂの上面側が開口されることとなる。これによって、第２の区画室１３ｂ内に収納されていた医薬品を、該第２の区画室１３ｂから取り出すことができることとなる。
【００４４】
この場合においても、第１の開封ユニット片８ａを開封した際と同様に、縦方向のミシン目６、６が、横方向のミシン目７ｂよりも裂断され易い状態とされていることで、縦方向のミシン目６、６を容易に裂断して開封ユニット片８ｂを捲り上げることができるが、横方向のミシン目７ｂは不用意に裂断されることがない。また、横方向のミシン目７ｂによって、開封ユニット片８ｂは、ミシン目７ｂを介して折れ易い状態となっているので、図９に示すように、隣接する開封ユニット片８ｃに対して２条目のミシン目７ｂを介して容易に折れ曲がることとなる。そして、横方向の２条目のミシン目７ａが、いわゆるストッパーとして機能し、縦方向のミシン目６、６が連続的に裂断されるのを阻止することとなる。
【００４５】
さらに、この２条目のミシン目７ｂをも覆うように、上記貼着シート３が外箱１の上面１ａに貼着されているので、縦方向のミシン目６、６がより裂断されにくい状態となり、この貼着シート３が横方向のミシン目７ｂと同様にストッパーとして機能する。従って、ミシン目７ｂと貼着シート３とのストッパーとしての相乗作用により、縦方向のミシン目６、６が連続的な裂断がより確実に阻止され、開封ユニット片８ｂに隣接する開封ユニット片８ｃが不用意に捲り上げられるのが確実に阻止されることとなる。
【００４６】
その結果、第２の開封ユニット片８ｂのみを捲り上げて前記第１の区画室１３ａに続いて第２の区画室１３ｂを開口させることができ、第３の区画室１３ｃが不用意に開口されることがない。従って、第２の区画室１３ｂから１つの医薬品のみを取り出して使用することができる。
【００４７】
第２の区画室１３ｂから１つの医薬品を取り出した後は、貼着シート３の２番目の摘み表示部１７を把持して貼着シート３を捲り上げることによって、ミシン目の部分を介して貼着シート３における「２回目」の表示部分を切り取ることができる。これによって、「２回目」の表示部分が外箱１の上面１ａから除去され、「３回目」、「４回目」、「５回目」、「６回目」の表示部分が外箱１の上面１ａに残存しているので、使用者は、「２回目」に投薬すべき医薬品を内箱２から取り出したことを確実に確認することができる。
【００４８】
上述のような作業を、続く開封ユニット片８ｃ、８ｄ、８ｅ、８ｆについても同様に行うことによって、３条目〜５条目の横方向のミシン目７ｃ、７ｄ、７ｅを裂断させることなく、縦方向のミシン目６、６のみを裂断させることができ、開封ユニット片８ｃ、８ｄ、８ｅ、８ｆを順次１つずつ捲り上げることができ、それに伴って、対応する区画室１３ｃ、１３ｄ、１３ｅ、１３ｆを順次１室ずつ開口させることができる。
【００４９】
これらの場合も、ミシン目７ｃ、７ｄ、７ｅがストッパーとして機能するとともに、該ミシン目７ｃ、７ｄ、７ｅを覆うように外箱１の上面１ａに貼着された貼着シート３もストッパーとして機能するので、上記開封ユニット片８ａ、８ｂを捲り上げる場合と同様に、開封ユニット片８ｃ、８ｄ、８ｅ、８ｆが１つずつ順に捲り上げられることとなり、区画室１３ｃ、１３ｄ、１３ｅ、１３ｆが１室ずつ順に開口されることとなる。
【００５０】
また、区画室１３ｃ、１３ｄ、１３ｅ、１３ｆが１室ずつ順に開口されることに伴って、ミシン目の部分を介して貼着シート３における「３回目」、「４回目」、「５回目」、「６回目」の表示部分を順に１枚ずつ捲っていくことができる。この結果、使用者は、計６回の投薬を、区画室１３ａ、１３ｂ、１３ｃ、１３ｄ、１３ｅ、１３ｆを１室ずつ順に開口させ、貼着シート３の「１回目」〜「６回目」の表示部分を順に１枚ずつ捲って外箱１の上面１ａから順に剥がしていくことで、「１回目」〜「６回目」の投薬を、間違えることなく行うことができ、医薬品の誤飲が確実に防止されることとなる。
【００５１】
尚、上記実施形態では、外箱１の横方向に形成されるミシン目７ａ、７ｂ、７ｃ、７ｄ、７ｅを計５条形成したが、横方向に形成されるミシン目の条数は該実施形態に限定されるものではなく、要は複数条のミシン目が形成されていればよい。
【００５２】
また、上記実施形態では、縦方向のミシン目６、６のスリット１８を、横方向のミシン目７ａ、７ｂ、７ｃ、７ｄ、７ｅのスリット２０よりも長くなるように形成するとともに、該縦方向のミシン目６、６のスリット１８間の連設部１９を、前記横方向のミシン目７ａ、７ｂ、７ｃ、７ｄ、７ｅのスリット２０間の連設部２１よりも短くなるように形成することで、縦方向のミシン目６、６を、横方向のミシン目７ａ、７ｂ、７ｃ、７ｄ、７ｅよりも裂断され易いような状態としたが、縦方向のミシン目を横方向のミシン目よりも裂断され易いような状態とする手段も上記実施形態に限定されるものではない。
【００５３】
ただし、縦方向のミシン目のスリット１８を横方向のミシン目スリット２０よりも長くなるように形成し、縦方向のミシンのスリット１８間の連設部１９を横方向のミシン目のスリット２０間の連設部２１よりも短くなるように形成する手段は、縦方向のミシン目と横方向のミシン目との裂断され易さに差異を設ける上で最も簡易な手段であり、裂断され易さに確実に差異を設けるための好ましい手段ということができる。
【００５４】
さらに、上記実施形態では、計６個の開封ユニット片８ａ、８ｂ、８ｃ、８ｄ、８ｅ、８ｆを設け、これに対応して計６室の区画室１３ａ、１３ｂ、１３ｃ、１３ｄ、１３ｅ、１３ｆを設けたが、開封ユニット片の個数及び区画室の室数も上記実施形態に限定されるものではなく、要は複数の開封ユニット片が外箱の開封面に設けられ、複数の区画室が内箱内に設けられていればよいのである。
【００５５】
さらに、上記実施形態では、１枚の紙製シートからなる仕切用シート１２を短冊状に折り畳むことによって内箱２内に複数の区画室を形成したが、区画室を形成する手段もこのような１枚の仕切用シート１２を短冊状に折り畳んで形成する手段に限定されるものではなく、たとえば複数の仕切用シートによって複数の区画室を形成することも可能である。ただし、上記実施形態のように１枚の仕切用シート１２を短冊状に折り畳んで区画室を形成すれば、複数の仕切用シートによって複数の区画室を形成する場合に比べて、区画室を形成する作業を容易且つ短時間に行うことができるという利点がある。
【００５６】
さらに、上記実施形態では、貼着シート３に表示される情報として、投薬回数を表示する「１回目」、「２回目」、…「６回目」のような情報を表示したが、情報表示の態様も該実施形態に限定されるものではなく、たとえば単に数字のみを表示するような態様のものであってもよい。
【００５７】
さらに、上記実施形態では、投薬回数等の情報が、貼着シート３に表示されていたが、貼着シート３に表示せずに外箱１に表示することも可能である。外箱１に表示する場合であっても、複数の開封ユニット片を順次開封し、複数の区画室を順次開口させることで、被包装物を使用したことを容易に確認することができるので、誤飲防止に特に支障を生じさせることもないのである。ただし、上記実施形態のように情報を貼着シート３に表示し、投薬回数等の複数の情報に応じて、その部分を上記実施形態のように順次捲るようにすることで、各情報が順次外箱から除去されていくので、誤飲防止を一層確実に図ることができるという効果がある。また、上記のようなストッパーとして機能する貼着シート３を、
情報表示用のラベルとして兼用することができるという利点がある。
【００５８】
また、表示される表示の種類も上記実施形態のような投薬回数の数字情報に限定されるものではなく、被包装物の種類や箱の用途に応じて任意に変更可能である。
【００５９】
さらに、上記実施形態では、外箱１の開封面と隣接する１つの隣接面である短手方向の一方の側面１ｅに、最初に開封する開封ユニット片８ａの開封起点となる開封起点部９を形成したため、この開封起点部９によって、最初の開封ユニット片８ａの開封を容易に行うことができるという好ましい効果が得られたが、このような開封起点部９を形成することは本発明に必須の条件ではない。
【００６０】
さらに、上記実施形態では、外箱の上面１ａに縦方向のミシン目６、６、横方向のミシン目７ａ、７ｂ、７ｃ、７ｄ、７ｅ、及び開封ユニット片８ａ、８ｂ、８ｃ、８ｄ、８ｅ、８ｆをそれぞれ形成したが、このような縦方向のミシン目、横方向のミシン目、開封ユニット片は、上面１ａ以外の面、たとえば側面に形成することも可能である。ただし、一般には外箱１の上面１ａにおいて開封ユニット片の開封等の作業を行うのが最も作業が容易となるので、上面１ａに形成されることが望ましい。
【００６１】
さらに、外箱１や内箱２の形状も上記実施形態に限定されるものではなく、またその材質も該実施形態の紙に限定されるものではない。また、貼着シート３の材質も該実施形態の合成樹脂に限定されるものではない。
【００６２】
さらに、上記実施形態では、被包装物として医薬品を用いる場合について説明したが、被包装物の種類も該実施形態の医薬品に限定されるものではなく、たとえば食品等の用途に本発明を適用することも可能である。
【図面の簡単な説明】
【００６３】
【図１】一実施形態としての誤飲防止箱の平面図。
【図２】同短手方向の側面図。
【図３】同長手方向の側面図。
【図４】図１のＡ−Ａ線断面図。
【図５】内箱の平面図。
【図６】図５のＢ−Ｂ線断面図。
【図７】図５のＣ−Ｃ線断面図。
【図８】１つ目の開封ユニット片を開封する状態を示す断面図。
【図９】２つ目の開封ユニット片を開封する状態を示す断面図。
【符号の説明】
【００６４】
１  外箱
２  内箱
３  貼着シート
６  ミシン目
７ａ、７ｂ、７ｃ、７ｄ、７ｅ  ミシン目
８ａ、８ｂ、８ｃ、８ｄ、８ｅ、８ｆ  開封ユニット片
９  開封起点部
１３ａ、１３ｂ、１３ｃ、１３ｄ、１３ｅ、１３ｆ  区画室
【図１】
2009208831.tif 000003
【図２】
2009208831.tif 000004
【図３】
2009208831.tif 000005
【図４】
2009208831.tif 000006
【図５】
2009208831.tif 000007
【図６】
2009208831.tif 000008
【図７】
2009208831.tif 000009
【図８】
2009208831.tif 000010
【図９】
2009208831.tif 000011